(57)【要約】【課題】切断線に沿って容易に切断することができるパンツを提供すること。【解決手段】パンツは、略環状に連なる前腹部２及び後背部と、その前腹部２及び後背部間に連なって設けられる股部４とを備えている。パンツがおむつとして使用される場合、前腹部２は、略中央部の中前腹部２ｃと、その左右の前腹部２ａ，２ｂとに破断される。その破断部分に、切断線部１７ａ，１７ｂが形成されている。切断線部１７ａ，１７ｂは、２本の弱化線部ＷＬが略平行に形成されてなり、弱化線部ＷＬ間の部分を掴んで引張ることで、破断される。【選択図】図１
2006141854.tif 000002
【特許請求の範囲】
【請求項１】
略環状に連なる前腹部及び後背部と、
その前腹部及び後背部間に連なって設けられる股部と、
を備え、
前記前腹部、前記後背部及び前記股部のうちの少なくとも一つに、切断線部が形成されると共に、前記切断線部は、複数の弱化線部が略平行に形成されてなる、パンツ。
【請求項２】
略環状に連なる前腹部及び後背部と、
その前腹部及び後背部間に連なって設けられる股部と、
前記股部に設けられた吸収体と、を備え、
前記前腹部は、前記股部が連なる部分で、略中央部の中前腹部と、その左右の前腹部とを破断するための切断線部を有し、その切断線部は、複数の弱化線部が略平行に形成されてなる、パンツ。
【請求項３】
請求項１又は請求項２記載のパンツであって、
前記切断線部又はその近傍に目印を付した、パンツ。
【請求項４】
請求項３記載のパンツであって、
前記目印は、地色とは異なる色で前記弱化線部に着色されたしるしを含む、パンツ。
【請求項５】
請求項３又は請求項４記載のパンツであって、
前記目印は、前記切断線部近傍に文字、図形及び記号のうちの少なくとも一つを表示したしるしを含む、パンツ。
【請求項６】
請求項１〜請求項５のいずれかに記載のパンツであって、
前記各弱化線部間の帯状領域部分の一端部に、摘み部分が形成されている、パンツ。
【請求項７】
請求項１〜請求項６のいずれかに記載のパンツであって、
前記各弱化線部の一端部に、切込みが形成されている、パンツ。
【発明の詳細な説明】
【技術分野】
【０００１】
本発明は、パンツやおむつ等として利用される使い捨てパンツを含むパンツに関する。
【背景技術】
【０００２】
この種の従来の使い捨てパンツとしては、特許文献１に記載の技術がある。この特許文献１に記載のパンツでは、前身頃の左右両側に切断線を設け、その切断線の部分で前身頃を切り離し可能とするとともに、前身頃及び後身頃の左右の接合部に接合された付着片を設けている。そして、切断線により前身頃を切り離した際に、左右の付着片により前身頃と後身頃との締結を行うようになっている。
【０００３】
【特許文献１】特開平５−３１７３５６号公報
【発明の開示】
【発明が解決しようとする課題】
【０００４】
しかしながら、上記使い捨てパンツでは、切断線は、１本のミシン目によって構成されている。このため、ミシン目の片側部分を持って側方へ引張って切断作業を行うことになり、切断する際の力が、ミシン目から側方に向けて作用し易くなる。このため、パンツがミシン目以外の意図しないラインに沿って破れ易い。
【０００５】
そこで、本発明は、切断線に沿って容易に切断することができるパンツを提供することを目的とする。
【課題を解決するための手段】
【０００６】
この発明の第１の態様に係るパンツは、略環状に連なる前腹部及び後背部と、その前腹部及び後背部間に連なって設けられる股部と、を備え、前記前腹部、前記後背部及び前記股部のうちの少なくとも一つに、切断線部が形成されると共に、前記切断線部は、複数の弱化線部が略平行に形成されてなるものである。
【０００７】
この発明の第２の態様に係るパンツは、略環状に連なる前腹部及び後背部と、その前腹部及び後背部間に連なって設けられる股部と、前記股部に設けられた吸収体と、を備え、前記前腹部は、前記股部が連なる部分で、略中央部の中前腹部と、その左右の前腹部とを破断するための切断線部を有し、その切断線部は、複数の弱化線部が略平行に形成されてなるものである。
【０００８】
これらのパンツにおいて、前記弱化線部に、地色とは異なる色が着けられていてもよい。
【０００９】
また、前記各弱化線部間の帯状領域部分の一端部に、摘み部分が形成されていてもよい。
【００１０】
さらに、前記各弱化線部の一端部に、切込みが形成されていてもよい。
【発明の効果】
【００１１】
この発明の第１の態様に係るパンツによると、切断線部は、複数の弱化線部が略平行に形成されてなるため、切断する際の力を、その延在方向に沿って作用させ易い。従って、切断線部に沿って容易に切断することができる。
【００１２】
また、この発明の第２の態様に係るパンツによると、切断線部は、複数の弱化線部が略平行に形成されてなるため、切断する際の力を、その延在方向に沿って作用させ易い。従って、切断線部に沿って容易に切断することができる。
【００１３】
この場合に、前記切断線部又はその近傍に目印を付するとよい。目印としては、前記目印は、地色とは異なる色で前記弱化線部に着色されたしるしを含むものであってもよい。また、前記目印は、前記切断線部近傍に文字、図形及び記号のうちの少なくとも一つを表示したしるしを含むものであってもよい。
【００１４】
さらに、各弱化線部間の帯状領域部分の一端部に、摘み部分が形成されていると、その摘み部分を持って引張ることで、切断線部に沿って容易に切断することができる。
【００１５】
また、前記各弱化線部の一端部に、切込みが形成されていると、各弱化線部は該切込みを起点として切断され易い。このため、より確実に切断線部に沿って容易に切断することができる。
【発明を実施するための最良の形態】
【００１６】
＜概略説明＞
図１〜図９を参照して、本発明の実施形態に係る使い捨てパンツ１について説明する。この使い捨てパンツ１は、略環状に連なる前腹部２及び後背部３と、その前腹部２及び後背部３間に連なって設けられる股部４とを備えて構成され、パンツとしてもおむつとしても利用可能となっている。なお、この使い捨てパンツ１の説明において、左及び右とは着用者から見て左手側及び右手側を指すものとする。
【００１７】
前腹部２及び後背部３とは、この使い捨てパンツ１における主に着用者の前腹部及び後背部に面する部分を指す。前腹部２の左右の縁部と後背部３の左右の縁部とは互いに接合され、これによって前腹部２と後背部３とは略環状に連なっている。このため、使い捨てパンツ１の左右の縁部には、前腹部２の左右の縁部と後背部３の左右の縁部とを接合する左サイド接合部１１ａ及び右サイド接合部１１ｂが形成されている。このサイド接合部１１ａ，１１ｂでの接合は、接着剤、例えばホットメルト接着剤による接着と超音波溶着（あるいは、加熱溶着）とのいずれか一方、又はその両方の併用により行われる。
【００１８】
股部４とは、この使い捨てパンツ１における主に着用者の股部に面する部分を指し、その前股部４ａ及び後股部４ｂがそれぞれ前腹部２及び後背部３にそれぞれ連なっている。本実施形態では、股部４の前股部４ａ及び後股部４ｂが前腹部２及び後背部３に接着剤、例えばホットメルト接着剤により接合されている。なお、変形例として、股部４を前腹部２及び後背部３の一方又は両方と連続した部材により一体に形成してもよい。
【００１９】
このように略環状に連なった前腹部２及び後背部３の上縁部１２ａ，１３によりウエスト開口部Ｑが形成されている。前腹部２の左前腹部２ａの下縁部１４ａ、後背部３の左斜め下の傾斜状の縁部１５ａ、及び股部４の左縁部１６ａにより左脚開口部Ｒａが形成されている。前腹部２の右前腹部２ｂの下縁部１４ｂ、後背部３の右斜め下の傾斜状の縁部１５ｂ、及び股部４の右縁部１６ｂにより右脚開口部Ｒｂが形成されている。
【００２０】
＜前腹部＞
前腹部２は、図１に示すように、全体形状としては平面視略横長矩形状であり、左前腹部２ａ、右前腹部２ｂ、及びそれらの中間に位置する中前腹部２ｃを備えている。中前腹部２ｃは本発明の中間領域に相当している。左前腹部２ａと中前腹部２ｃとの間には、前腹部２を上下に縦断する左切断線部１７ａが形成され、右前腹部２ｂと中前腹部２ｃとの間には、前腹部２を上下に縦断する右切断線部１７ｂが形成されている。中前腹部２ｃには、図６に示すように、股部４の前股部４ａとの接合部分１８が形成される。接合部分１８での接合は、接着剤、例えばホットメルト接着剤を用いて行われる。
【００２１】
左右の切断線部１７ａ，１７ｂは、図１，図２，図５及び図６に示すように、前股部４ａの両側縁部よりも内側の位置に形成されている。また、切断線部１７ａ，１７ｂは、複数（ここでは２本）の弱化線部ＷＬが略平行に形成されてなる。弱化線部ＷＬは、例えば、前腹部２を線状に加熱することにより（例えばヒートシール）、或は、断続的に切断してミシン目状に加工することにより、或は、線状に超音波加工することにより（例えば超音波シール）形成されている。そして、図２〜図４及び図９に示すように、この切断線部１７ａ，１７ｂを破断することにより、前腹部２を切断線部１７ａ，１７ｂの部分で切り離せるようになっている。これにより、前腹部２が、股部４が連なる部分で、略中央部の中前腹部２ｃと、その左右の前腹部２ａ，２ｂとに破断される。ここで、切断線部１７ａ，１７ｂは、直線状に形成してもよいし、必要に応じて曲線状に形成してもよい。
【００２２】
左前腹部２ａ及び右前腹部２ｂの上縁部１２ａ，１２ｂには、ウエスト用弾性部材１９ａ，１９ｂが左右方向に伸張された状態で取り付けられている。左前腹部２ａ及び右前腹部２ｂの下縁部１４ａ，１４ｂには脚用弾性部材２０ａ，２０ｂが左右方向に伸張された状態で取り付けられている。左前腹部２ａ及び右前腹部２ｂの上縁部１２ａ，１２ｂと下縁部１４ａ，１４ｂとの間の部分には、ボディ用弾性部材２１ａ，２１ｂが左右方向に伸張された状態で取り付けられている。これらの弾性部材１９ａ，１９ｂ，２０ａ，２０ｂ，２１ａ，２１ｂの収縮・伸張により前腹部２（特に、左前腹部２ａ及び右前腹部２ｂ）が着用者の腹部に沿うように柔らかくフィットすることができる。
【００２３】
このような前腹部２は、図６に示すように、肌面側の内層シート５７と、外側の外層シート５８との間に弾性部材１９ａ，１９ｂ，２０ａ，２０ｂ，２１ａ，２１ｂを挟み込んで構成されている。
【００２４】
図１〜図６に示すように、左前腹部２ａ及び右前腹部２ｂの内面側であってその中前腹部２ｃ側の端部には、略シート状の左付着片２２ａ及び右付着片２２ｂが接着剤、例えばホットメルト接着剤により接合されている。この付着片２２ａ，２２ｂは、パンツ形態では、付着片２２ａ，２２ｂは切断線部１７ａ，１７ｂの内側に折込まれている（図１参照）。また、切断線部１７ａ，１７ｂを破断して、おむつ形態で使用する際には、付着片２２ａ，２２ｂは左前腹部２ａ及び右前腹部２ｂの端部から延出して、次述する付着部２３の外面に着脱自在に付着される（図８参照）。
【００２５】
中前腹部２ｃの外面側には、付着片２２ａ，２２ｂを付着させるための第１着脱部として面状の付着部２３が設けられている。この付着部２３の横幅は、左右の切断線部１７ａ，１７ｂ間の間隔（すなわち、中前腹部２ｃの横寸法）以下に設定され、その縦幅は、付着片２２ａ，２２ｂの縦寸法とほぼ等しく設定されている。
【００２６】
付着片２２ａ，２２ｂは、略縦長帯状の本体部２４と、その本体部２４から上下に二股に分かれてその自由端側に向けて延設された２個の張出し部２５，２６とをそれぞれ有している。本体部２４の左右方向外方側端部は、図６に示すように、接着剤６６、例えばホットメルト接着剤により、左前腹部２ａ及び右前腹部２ｂの内面側であって切断線部１７ａ，１７ｂ側の端部の手前側の部分に接合されている。
【００２７】
付着片２２ａ，２２ｂの各張出し部２５，２６の内面側（おむつ形態で付着部２３に面する側の一方面）には、付着部２７，２８がそれぞれ設けられている。付着片２２ａ，２２ｂは、付着部２７，２８を介して上記付着部２３に着脱自在に止着する。
【００２８】
また、この付着片２２ａ，２２ｂの内面のうち付着部２７，２８よりも基端側の部分（本体部２４の内面側の部分）も、付着部２９とされている。そして、付着片２２ａ，２２ｂの張出し部２５，２６の付着部２７，２８を上記付着部２３に止着した状態で、後述する付着部５０も付着片２２ａ，２２ｂの本体部２４の内面側の付着部２９に着脱自在に止着するようになっている（図６参照）。
【００２９】
また、付着片２２ａ，２２ｂのうち前記付着部２７，２８が設けられた面とは反対側の他方面側（外面側）も付着部とされている。この付着部は、上記付着部２７，２８を着脱自在に取付可能な構成となっている。
【００３０】
そして、一方側の付着片２２ａ（又は２２ｂ）を、付着部２７，２８を介して付着部２３に止着した状態で、他方側の付着片２２ｂ（又は２２ａ）を該一方側の付着片２２ａ（又は２２ｂ）の上に重ね合せるようにして止着できるようになっている。
【００３１】
なお、付着片２２ａ，２２ｂの外面側の付着部の配設領域は、付着片２２ａ，２２ｂの他方面側の全体或は一部であっても構わないが、張出し部２５，２６の先端部を含むように配設した方が、付着片２２ａ，２２ｂ同士を重ね合わてしっかりと固定し易いという利点がある。
【００３２】
付着部２３，２９等の具体例としては、表面に微細なループ構造が密に形成された不織布、織布、編み物等を有するループ側部材が考えられる。また、付着部２７，２８，５０の具体例としては、そのループ側部材に着脱自在に係合する微細なフック構造が表面に密に形成されたフック側部材が考えられる。
【００３３】
さらに具体的には、付着部２３，２９等としては、例えば、面ファスナーのループ側部材として好適に用いられる不織布、織布等を表面に有するプラスチックフィルム複合材が用いられる。付着部２３，２９等としては、ループ側部材を別部材として中前腹部２ｃ又は付着片２２ａ，２２ｂに貼着する構成、或は、中前腹部２ｃの外面又は付着片２２ａ，２２ｂの外面や内面自体をループ側部材として機能させる構成であってもよい。そのためには、例えば、付着片２２ａ，２２ｂや中前腹部２ｃ自体の材料としてループ構造を持つものを選択したり、或は、付着片２２ａ，２２ｂや中前腹部２ｃの表面の所要部分を毛羽立たせるように表面処理したり、さらに、付着片２２ａ，２２ｂや中前腹部２ｃに毛を織込んでループ構造を持たせるように加工等すればよい。
【００３４】
付着部２７，２８，５０としては、面ファスナーのフック側部材として好適に用いられる表面に密に形成されたピンを有するプラスチックフィルムが用いられる。
【００３５】
また、付着部２３，２９等の他の具体例としては、粘着剤との繰り返し剥離性を有するように表面処理、例えばピーロイル加工されたプラスチックフィルム等が考えられ、その他の具体例としては、繰り返し利用可能な接着剤などが考えられる。
【００３６】
なお、前記の付着部２３，２９等と、付着部２７，２８，５０の前記具体例において、それらの構成を入替えてもよい。
【００３７】
また、本実施形態では、付着片２２ａ，２２ｂの各張出し部２５，２６の先端部は、付着片２２ａ，２２ｂをつまみやすくするために、つまみ部３１（図４参照）となっている。このつまみ部３１には、付着部２７，２８は設けられていない。
【００３８】
このような構成において、図９に示すように、各切断線部１７ａ，１７ｂで弱化線部ＷＬ間の細帯状部分の上端部を掴んで下方に引張ると、前腹部２が弱化線部ＷＬで破れる。この際、弱化線部ＷＬ間の細帯状部分の上端部を掴んで下方に引張るため、切断線部１７ａ，１７ｂに略直交する方向に力が作用し難い。このため、前腹部２は切断線部１７ａ，１７ｂに略直交する方向に破れ難い。
【００３９】
このように、各切断線部１７ａ，１７ｂで破断すると、右前腹部２ｂが付着片２２ｂと一体となって右側に展開する。また、左前腹部２ａが付着片２２ａと一体となって左側に展開する。このとき、中前腹部２ｃは股部４と接合された状態に保たれ、前股部４ａの外側に残ることになる。
【００４０】
このため、この使い捨てパンツ１は、図１に示すように、切断線部１７ａ，１７ｂを破断する前の状態（製品出荷時の状態）では、前腹部２と股部４とが接合部分１８によって固定されているため、パンツとして機能し、付着片２２ａ，２２ｂ等の開閉手段のない通常の使い捨てパンツと同様に容易に上げ下げできるようになっている。また、この状態では、仮に付着片２２ａ，２２ｂと付着部２３との係合が外れても、前腹部２と股部４とが別々になってしまうことがない。
【００４１】
また、この使い捨てパンツ１がパンツ状態で着用させている場合において、後述する吸収体４３が排泄物を吸収、保持した場合には、切断線部１７ａ，１７ｂを破断して展開して、パンツ１を着用者から容易に取り除くことができる。この場合、着用者の衣服を脱がさなくとも、パンツ１の取外しができる。
【００４２】
また、切断線部１７ａ，１７ｂを破断し、前腹部２を展開して、パンツ１の内部の汚染状況を確認した後、付着片２２ａ，２２ｂを展開して伸し、付着部２３に係合させて、パンツ１を元のパンツ状態に戻すことができる。また、このパンツ１と尿取りパット等の補助パットとを併用しているときにも、付着片２２ａ，２２ｂを着脱して補助パットの交換等を容易に行うことができる。
【００４３】
また、着用させる前に、パンツ１を図３に示す状態に展開しておいて着用者の臀部にあてがって、図２、図１の順に閉じてゆくことにより、このパンツ１を通常の使い捨ておむつのように利用することもできる。この場合、着用者の衣服を脱がさなくとも、パンツ１の着用及び取り外しができる。
【００４４】
また、切断線部１７ａ，１７ｂを破断した状態で使用する際に、着用者の腰回り寸法が小さい場合には、両付着片２２ａ，２２ｂを重ね合せるようにして止着させることができる。すなわち、一方側の付着片２２ａ（又は２２ｂ）を、付着部２３に止着した状態で、他方側の付着片２２ｂ（２２ａ）を、該一方側の付着片２２ａ（又は２２ｂ）の上に重ね合せるようにして、付着部２３等に止着させることができる。
【００４５】
なお、付着片２２ａ，２２ｂは、前腹部２の外面側に取付けられていてもよい。
【００４６】
＜股部＞
股部４は、図３及び図４に示すように、全体形状としては展開すると前後方向に延びる略帯状の形態を有し、前股部４ａ、後股部４ｂ、及びそれらの中間に位置する中股部４ｃを備え、主に中股部４ｃを中心として着用者の股間部にあてがわれる。前股部４ａは、図１に示すように、中前腹部２ｃの内面側に重ね合わされた状態で接合部分１８によって中前腹部２ｃと接合されている。後股部４ｂは、図３及び図４に示すように、後背部３の内面側に重ね合わされた状態で後背部３と接着固定されている。このような股部４の左縁部１６ａ及び右縁部１６ｂには、脚用弾性部材４０ａ，４０ｂが縁部１６ａ，１６ｂの延設方向に伸張された状態で取り付けられている。
【００４７】
股部４は、図３及び図７に示すように、透液性のトップシート４１と不透液性のバックシート４２との間に、吸収体４３を挟み込んで構成されている。吸収体４３は、所定の横幅を有し、中股部４ｃを中心にして前後方向に帯状に広がっている。股部４の内面側における吸収体４３の左右両側には、股部４の延設方向に沿って延びる起立部４４ａ，４４ｂが設けられている。
【００４８】
例えば、トップシート４１は透液性の不織布等により構成され、バックシート４２は撥水性不織布等により構成される。また、吸収体４３は、例えば、粉砕したパルプ繊維やセルロース繊維等の親水性繊維集合層に粒状の高分子吸収体を混合した塊をティッシュペーパーなどの紙シート又は透液性不織布シート等の被覆シートで包み、所定形状に成形されたものである。
【００４９】
トップシート４１及びバックシート４２の吸収体４３と重ならない部分は、互いに対向する面同士が接着剤、例えばホットメルト接着剤によって互いに接合されている。より好ましくは、トップシート４１の横幅は、吸収体４３の肌面側を覆い、かつバックシート４２の横幅よりも若干狭く設定され、トップシート４１の吸収体４３を超えて前後左右に張り出した部分が、接着剤、例えばホットメルト接着剤によりバックシート４２と接合されている。バックシート４２におけるトップシート４１の左右両側に張り出した部分の肌面側には、起立部４４ａ，４４ｂを構成する左右のサイドシート４５ａ，４５ｂが接着剤、例えばホットメルト接着剤によって接合されている。
【００５０】
また、図６に示すように、サイドシート４５ａ，４５ｂの前後方向の両端縁は、股部４の前後方向の両端縁に接着剤６０、例えばホットメルト接着剤により接合されている。サイドシート４５ａ，４５ｂの左右方向内方側縁部は、前後方向に伸びる弾性部材４６を包み込むようにして、封止部４７にて熱溶着（又は超音波溶着）等により固定されている。起立部４４ａ，４４ｂは、弾性部材４６の収縮力によりその左右方向内方側縁部が縮められ、これによって着用者の肌に押し付けられる方向に起立する。
【００５１】
また、本実施形態では、図３に示すように、股部４における前腹部２及び後背部３の腰回り部３ａと重なる重複部分において、左右の縁部を傾斜辺４８ａ，４８ｂ，４９ａ，４９ｂとし、その横幅を前後方向の端縁側に向けて徐々に減少させている。
【００５２】
この傾斜辺４８ａ，４８ｂにより、使い捨てパンツ１を上げ下げする際に、前股部４ａが引っ掛かってめくれたり、折れ曲がったり、着用者の肌に影響を及ぼすのを防止し、スムーズに上げ下げすることができる。
【００５３】
また、通常、後背部３と股部４とが重なる領域については、後背部３の収縮力が弱まる傾向にあるが、前記傾斜辺４９ａ，４９ｂによるトリム領域を形成することにより、後背部３の伸縮部分の面積が後背部３の上側に向けて徐々に増えてゆき、これによって後背部３が着用者の後背部にフィットしやすくなる。
【００５４】
また、股部４の前腹部２側の端部の両側部には、付着部５０が設けられている（図２，図４参照）。この付着部５０は、付着片２２ａ，２２ｂの内面側の付着部２９と対向する位置に形成されている。そして、付着片２２ａ，２２ｂの付着部２７，２８を上記付着部２３に止着した状態で、付着部５０が付着片２２ａ，２２ｂ内面側の付着部２９に着脱自在に止着するようになっている（図８参照）。
【００５５】
なお、股部４の構成の変形例として、吸収体４３をシート４１，４２の間に挟み込むのではなく、吸収体４３をシート４２の肌面側に貼着し、シート４１を省略する構成としてもよい。あるいは、吸収体４３の前後の端部にシートを接合したものを股部４として用いるようにしてもよく、大型の吸収体４３を用いてその吸収体４３を股部４として用い、シート４１，４２を省略するようにしてもよい。
【００５６】
＜後背部＞
後背部３は、図３〜図４に示すように、展開すると略矩形の左右下側の角を略斜めに切り落としたような形態を有し、着用者の背面側の腰回り部から臀部にかけた部分にあてがわれる。このため、この後背部３は、着用者の背面側の腰回り部に主に位置する平面視略横長帯状の腰回り部３ａと、その腰回り部３ａの下側に連なり着用者の臀部に主に位置する平面視略台形状の臀部３ｂとを備えている。腰回り部３ａの上縁部１３には、ウエスト用弾性部材５１が左右方向に伸張された状態で取り付けられており、腰回り部３ａのそれ以外の領域には、ボディ用弾性部材５２が左右方向に伸張された状態で取り付けられている。後背部３の左斜め下の傾斜状の縁部１５ａには、脚用弾性部材５３ａが縁部１５ａに沿って伸張された状態で取り付けられており、後背部３の右斜め下の傾斜状の縁部１５ｂには、脚用弾性部材５３ｂが縁部１５ｂに沿って伸張された状態で取り付けられている。これらの弾性部材５１，５２，５３ａ，５３ｂの収縮、伸張により後背部３が着用者の後背部及び臀部にフィットしやすくなっている。
【００５７】
特に、後背部３の臀部３ｂは、下側に向けて横幅が徐々に狭くなる構成とされているとともに、その左右の傾斜状の縁部１５ａ，１５ｂに脚用弾性部材５３ａ，５３ｂが設けられているため、脚用弾性部材５３ａ，５３ｂの収縮力により縁部１５ａ，１５ｂが縮められると、臀部３ｂが着用者の臀部にフィットしやすくなっている。
【００５８】
なお、脚用弾性部材５３ａ，５３ｂは、臀部３ｂの左右の傾斜状の縁部１５ａ，１５ｂ及び下縁部１５ｃに沿って連続的に臀部３ｂに取り付けられた後、少なくとも股部４の吸収体４３と重なる部分５４（図４参照）について、弱化処理が施されている。弱化処理とは、その部分５４の弾性部材を切断したり、収縮力を弱める処理を行う等により、ノーテンション状態とすることである。これによって、脚用弾性部材５３ａ，５３ｂの収縮力によって吸収体４３に不所望な歪み等が生じ、その吸収機能が低下するのが防止される。
【００５９】
＜その他の構成及び各部の材料等＞
なお、前腹部２に設ける左右の弾性部材１９ａ，１９ｂ、弾性部材２０ａ，２０ｂ及び弾性部材２１ａ，２１ｂについては、前記脚用弾性部材５３ａ，５３ｂの場合と同様に、弾性部材２０ａ，２０ｂ，２１ａ，２１ｂを中前腹部２ｃを介して左右方向に連続的に前腹部２に設けた後、弾性部材２０ａ，２０ｂ，２１ａ，２１ｂの中前腹部２ｃに位置する部分について、弱化処理を施すのが好ましい。
【００６０】
また、付着片２２ａ，２２ｂの材料構成としては、不織布、織布、編布、プラスチップ材から適宜選択できる。中でも、スパンボンド法、エアースルー法、ポイントボンド法、メルトブロー法及びエアレイド法のうちの１つ又は複数の製法の組み合わせによって製造される不織布が好ましい。さらに、目付３０〜１００ｇ／ｍ2で、スパンボンド法若しくは、スパンボンド法とメルトブロー法とを組み合わせたＳＭＳ法により製造された不織布が強度の点から好ましい。最も好ましいのは、目付５０〜８５ｇ／ｍ2でスパンボンド法により製造された不織布である。材質としては、ポリプロピレン、ポリエチレン、ポリエステル、ポリアミド等の合成繊維、パルプ、絹等の天然繊維から適宜選択できるが、好ましくはポリプロピレン、ポリエチレン、ポリエステルといった合成繊維が利用でき、中でもポリプロピレン、ポリエステル繊維を主成分とするものは強度があり、好適である。最も好ましいのは、ポリエステル繊維である。
【００６１】
また、弾性部材１９ａ，１９ｂ，２０ａ，２０ｂ，２１ａ，２１ｂ，４０ａ，４０ｂ，４６，５３ａ，５３ｂとしては、通常使い捨てパンツに用いられる弾性伸縮材料（ポリウレタン糸、ポリウレタンフィルム、天然ゴム等）が用いられ、伸張状態でホットメルト接着剤、熱溶着、超音波溶着などの貼着手段によりパンツ１の所定部位に貼着される。
【００６２】
以上のように、本実施形態に係る使い捨てパンツ１は、前腹部２に、中前腹部２ｃと、その左右の前腹部２ａ，２ｂとを破断するための切断線部１７ａ，１７ｂを有し、その切断線部１７ａ，１７ｂは、複数の弱化線部ＷＬが略平行に形成されてなるものであるため、弱化線部ＷＬ間の細帯状部分の上端部を掴んで引張って、切断線部１７ａ，１７ｂを破断することができる。このため、切断する際の力は、切断線部１７ａ，１７ｂに略直交する方向に作用し難く、切断線部１７ａ，１７ｂの延在方向に沿って作用し易い。このため、切断線部１７ａ，１７ｂに略直交する方向に破れ難く、切断線部１７ａ，１７ｂに沿って容易に切断することができる。
【００６３】
＜変形例＞
上記切断線部１７ａ，１７ｂ又はその近傍に、目印を付してもよい。
【００６４】
目印の一例としては、上記弱化線部ＷＬに、地色とは異なる色が着けられた例を挙げることができる。例えば、前腹部２が白色の部材により形成されている場合には、弱化線部ＷＬに薄水色の着色が付されていてもよい。この場合に、複数の弱化線部ＷＬのうちの１本にのみ着色が付されていてもよい。
【００６５】
また、目印の他の例としては、切断線部１７ａ，１７ｂ近傍に文字、図形及び記号のうちの少なくとも一つを表示した例を挙げることができる。
【００６６】
要するに、目印としては、利用者が該破断線部１７ａ，１７ｂの位置を容易に視認できるようにするための種々の態様を採用できる。
【００６７】
この第１変形例によると、目印を手がかりとして切断線部１７ａ，１７ｂを比較的容易に認識でき、従って、切断線部１７ａ，１７ｂでの切断作業を容易に行える。
【００６８】
また、図１０に示す第２変形例のように、弱化線部ＷＬ間の帯状領域部分の一端部に、摘み部分が形成されていてもよい。摘み部分１１０は、その周囲の部分よりも補強された部分であり、例えば、前腹部２の一部を折畳んだり、他の布材等の補強材を重ね合せたりして、重ね合せ部分を作ることで形成される。
【００６９】
このような摘み部分１１０を形成することで、弱化線部ＷＬ間の帯状領域部分の一端部を容易に掴むことができ、かつ、途中で該帯状領域部分が摘んだ部分で千切れたりし難くなる。このため、摘み部分１１０を持って引張ることで、切断線部１７ａ，１７ｂに沿って容易に切断することができる。
【００７０】
また、図１１に示す第３変形例のように、弱化線部ＷＬの一端部に、切込みＷＬａが形成されていてもよい。すなわち、弱化線部ＷＬ自体は、他の部分よりも破れやすいように弱化された部分であるものの、その他の部分で破れてしまうこともあり得る。そこで、その一端部に予め切込みＷＬａを形成しておき、この切込みＷＬａを起点として弱化線部ＷＬが切断されるようにしておくのである。これにより、より確実に弱化線部ＷＬに沿って容易に切断することができる。
【００７１】
なお、上記摘み部分１１０や切込みＷＬａは、弱化線部ＷＬの下端部側にあってもよい。
【００７２】
なお、切込みＷＬａの長さ寸法は、前腹部２の材質や弱化線部ＷＬの態様等に応じて、該切込みＷＬａを起点として弱化線部ＷＬで切断でき、かつ、不用意に弱化線部ＷＬで切断してしまわない範囲で、適宜設定される。
【００７３】
なお、上記実施形態及び各変形例では、切断線部１７ａ，１７ｂが中前腹部２ｃその左右の前腹部２ａ，２ｂとを破断するように形成されている例について説明したが、その他、種々のパンツであって切断される部位を有するものに適用できる。つまり、種々のパンツにおいて、切断部位に上記切断線部１７ａ，１７ｂと同様の構成を適用できる。
【００７４】
特に、出荷時等の初期状態では、略環状に連なる前腹部及び後背部と、その前腹部及び後背部間に連なって設けられる股部とを備えたパンツであって、その後、使用状況等の必要に応じて、適宜部位にて切断されるものに適用できる。例えば、前腹部及び後背部との間（横腹部分）で破断されるパンツについても適用できる。
【図面の簡単な説明】
【００７５】
【図１】本発明の実施形態に係る使い捨てパンツの正面図である。
【図２】図１の使い捨てパンツの右切断線部を破断して右前腹部を展開した状態を示す図である。
【図３】図１の使い捨てパンツの股部を展開した状態を示す図である。
【図４】図３の使い捨てパンツを図３の反対側から見た図である。
【図５】切断線部を示す要部拡大図である。
【図６】図１の使い捨てパンツのＣ１−Ｃ１線に沿った部分の断面図である。
【図７】図３の使い捨てパンツのＣ２−Ｃ２線に沿った部分の断面図である。
【図８】左右の付着片を中前腹部に止着した状態を示す図である。
【図９】切断線部で破断する状態を示す説明図である。
【図１０】切断線部の第２変形例を示す図である。
【図１１】切断線部の第３変形例を示す図図である。
【符号の説明】
【００７６】
１  パンツ、２  前腹部、２ａ，２ｂ  左右の前腹部、２ｃ  中前腹部、４  股部、１７ａ，１７ｂ  切断線部、２２ａ，２２ｂ  付着片、１１０  摘み部分、ＷＬ  弱化線部、ＷＬａ  切込み
【図１】
2006141854.tif 000003
【図２】
2006141854.tif 000004
【図３】
2006141854.tif 000005
【図４】
2006141854.tif 000006
【図５】
2006141854.tif 000007
【図６】
2006141854.tif 000008
【図７】
2006141854.tif 000009
【図８】
2006141854.tif 000010
【図９】
2006141854.tif 000011
【図１０】
2006141854.tif 000012
【図１１】
2006141854.tif 000013